(57)【要約】【課題】  操作部のボタンを見ずに電子機器のボタン表示画像を見て、ボタンを操作できる操作装置を提供する。【解決手段】  操作部に複数のボタンを備え、ボタンの少なくとも１つが接触されたことを検出し、接触されたボタンのうちの少なくとも１つが押下られたことを検出する。表示部に操作部のボタンを表示し、ボタンを接触したことを検出したとき、その検出出力に基づいて、表示部に表示されたボタンの表示を変化させる。接触されたボタンのうちの少なくとも１つが押下られたとき、その検出出力に基づいて、そのボタンに対応する処理を実行する。【選択図】  図１
2007058569.tif 000002
【特許請求の範囲】
【請求項１】
複数の操作子を備える操作部と、
前記操作子の少なくとも１つが選択されたことを検出する第１検出処理部と、
前記選択された操作子のうちの少なくとも１つが操作されたことを検出する第２検出処理部と、
前記複数の操作子を表示する表示部と、
前記第１検出処理部の出力に基づいて、前記表示部に表示された操作子の表示を変化させる表示処理部と、
前記第２検出処理部の出力に基づいて、前記操作子に対応する処理を実行する操作実行部と
を備えたことを特徴とする電子装置。
【請求項２】
前記第１検出処理部が複数の操作子が選択されたことを検出した場合、前記表示処理部は前記選択された複数の操作子に対応する操作子の表示を変化させることを特徴とする請求項１に記載の電子装置。
【請求項３】
前記第１検出処理部が複数の操作子が選択されたことを検出し、第２検出処理部が前記選択された操作子のうちの少なくとも１つが操作されたことを検出した場合、前記操作実行部は前記選択された複数の操作子に対応する処理を実行することを特徴とする請求項１または２に記載の電子装置。
【請求項４】
前記各操作子に対応する処理を切換える切換部を更に備え、
前記表示処理部は、前記切換部の出力に基づいて、表示部に表示された操作子の表示を切換えることを特徴とする請求項１乃至３のいずれか１項に記載の電子装置。
【請求項５】
前記操作子の表示位置または表示サイズを変更する表示変更部を更に備え、
前記表示処理部は、前記表示変更部の出力に基づいて、表示部に表示された操作子の表示位置または表示サイズを変化させることを特徴とする請求項１乃至４のいずれか１項に記載の電子装置。
【請求項６】
所望の処理を実現するための操作子の操作手順を記憶する操作手順記憶部を更に備え、
前記表示処理部は、前記操作手順記憶部に記憶された操作手順に従って順次、表示部に表示された操作子の表示を変化させることを特徴とする請求項１乃至５のいずれか１項に記載の電子装置。
【請求項７】
複数の操作子を備える操作部と、前記操作子の少なくとも１つが選択されたことを検出する第１検出処理部と、前記選択された操作子のうちの少なくとも１つが操作されたことを検出する第２検出処理部と、前記第１検出処理部の出力と第２検出処理部の出力を送信する送信部を備えるリモコン装置と、
前記リモコン装置からの送信信号を受信する受信部と、前記複数の操作子を表示する表示部と、前記第１検出処理部の出力に基づいて、前記表示部に表示された操作子の表示を変化させる表示処理部と、前記第２検出処理部の出力に基づいて、操作子に対応する処理を実行する操作実行部とを備える電子機器と
からなることを特徴とする電子装置。
【請求項８】
複数の操作子を備える操作部と、前記操作子の少なくとも１つが選択されたことを検出する第１検出処理部と、前記選択された操作子のうちの少なくとも１つが操作されたことを検出する第２検出処理部と、前記第１検出処理部の出力と第２検出処理部の出力を電子機器へ送信する送信部を備えることを特徴とするリモコン装置。
【請求項９】
リモコン装置からの送信信号を受信する受信部と、前記リモコン装置の複数の操作子を表示する表示部と、前記リモコン装置の操作子の少なくとも１つが選択されたとき出力する第１検出処理部の出力に基づいて、前記表示部に表示された操作子の表示を変化させる表示処理部と、前記選択された操作子のうちの少なくとも１つが操作されたとき出力する第２検出処理部の出力に基づいて、前記操作子に対応する処理を実行する操作実行部とを備えることを特徴とする電子機器。
【発明の詳細な説明】
【技術分野】
【０００１】
本発明は、複数の操作子を備える操作部と、表示部とを備える電子装置に関し、特に表示部に複数の操作子の画像を表示する電子装置に関する。
【背景技術】
【０００２】
テレビ、ビデオデッキ、カーナビゲーション、パソコンのように機器が高機能化するに従い電子装置の操作が複雑になり、操作ボタン数が増加する。そのため所望の機能を使用するためのボタン操作が困難になる。操作ボタン数を少なくするため、例えば１つのボタンに複数の機能を割り当て、操作の種類に対応してボタンの機能を切換えるようにしている。このようにボタンの機能を切換えるので、ボタンに割り当てられている機能が分からなくなったり、またボタン操作の手順が長くなったりする。そのためボタンの近傍にボタン機能を表記しているが、ボタンを操作するときにボタン表記を見なければならない。また電子機器の表示画面に複数のボタン機能を表示し、カーソルでボタンを選択するものがある。しかしカーソル操作に慣れていない人にとっては、カーソルの操作が煩雑で難しい。
またリモコンによって操作する電子機器が多く存在するが、リモコン機器が多くなって、電子機器とリモコンの対応が分からなくなることがある。
特許文献１はユーザが機器操作のためボタンに接触すると、機器の表示手段にそのボタンに対応付けられた情報を表示することにより、その内容を確認後、ボタンを押下げて操作する発明を開示している。
【特許文献１】特開２０００−２７８３７４号公報
【発明の開示】
【発明が解決しようとする課題】
【０００３】
特許文献１は、機器の表示手段にボタン操作された機能を表示するが、そのボタンがどこにあるかが分からない。そのためボタンを探して操作したり、慣れによってボタン位置を覚えたり、手探りでボタンを操作しなければならない。
本発明は、このような不便を解消するものであり、操作部と機器の表示部を組み合わせた電子装置を提供するものであり、操作部のボタンを見ずに機器のボタン表示画面を見て、ボタンを操作できる電子装置を提供するものである。
【課題を解決するための手段】
【０００４】
本発明の電子装置は、複数の操作子を備える操作部と、前記操作子の少なくとも１つが選択されたことを検出する第１検出処理部と、前記選択された操作子のうちの少なくとも１つが操作されたことを検出する第２検出処理部と、前記複数の操作子を表示する表示部と、前記第１検出処理部の出力に基づいて、前記表示部に表示された操作子の表示を変化させる表示処理部と、前記第２検出処理部の出力に基づいて、前記操作子に対応する処理を実行する操作実行部とを備え、前記課題を解決するものである。
また本発明の電子装置は、前記第１検出処理部が複数の操作子が選択されたことを検出した場合、前記表示処理部は前記選択された複数の操作子に対応する操作子の表示を変化させるものである。
また本発明の電子装置は、前記第１検出処理部が複数の操作子が選択されたことを検出し、第２検出処理部が前記選択された操作子のうちの少なくとも１つが操作されたことを検出した場合、前記操作実行部は前記選択された複数の操作子に対応する処理を実行するものである。
【０００５】
また本発明の電子装置は、前記各操作子に対応する処理を切換える切換部を更に備え、前記表示処理部は、前記切換部の出力に基づいて、表示部に表示された操作子の表示を切換えるとよい。
また本発明の電子装置は、前記操作子の表示位置または表示サイズを変更する表示変更部を更に備え、前記表示処理部は、前記表示変更部の出力に基づいて、表示部に表示された操作子の表示位置または表示サイズを変化させるとよい。
また本発明の電子装置は、所望の処理を実現するための操作子の操作手順を記憶する操作手順記憶部を更に備え、前記表示処理部は、前記操作手順記憶部に記憶された操作手順に従って順次、表示部に表示された操作子の表示を変化させるとよい。
【０００６】
また本発明の電子装置は、リモコン装置と電子機器からなり、複数の操作子を備える操作部と、前記操作子の少なくとも１つが選択されたことを検出する第１検出処理部と、前記選択された操作子のうちの少なくとも１つが操作されたことを検出する第２検出処理部と、前記第１検出処理部の出力と第２検出処理部の出力を送信する送信部を備える。また電子機器は、前記リモコン装置からの送信信号を受信する受信部と、前記複数の操作子を表示する表示部と、前記第１検出処理部の出力に基づいて、前記表示部に表示された操作子の表示を変化させる表示処理部と、前記第２検出処理部の出力に基づいて、操作子に対応する処理を実行する操作実行部とを備える。
【０００７】
また本発明は、リモコン装置であって、複数の操作子を備える操作部と、前記操作子の少なくとも１つが選択されたことを検出する第１検出処理部と、前記選択された操作子のうちの少なくとも１つが操作されたことを検出する第２検出処理部と、前記第１検出処理部の出力と第２検出処理部の出力を電子機器へ送信する送信部を備える。
また本発明は、電子機器であって、リモコン装置からの送信信号を受信する受信部と、前記リモコン装置の複数の操作子を表示する表示部と、前記リモコン装置の操作子の少なくとも１つが選択されたとき出力する第１検出処理部の出力に基づいて、前記表示部に表示された操作子の表示を変化させる表示処理部と、前記選択された操作子のうちの少なくとも１つが操作されたとき出力する第２検出処理部の出力に基づいて、前記操作子に対応する処理を実行する操作実行部とを備える。
【発明の効果】
【０００８】
本発明の電子装置は、複数の操作子を表示する表示部と、操作子の少なくとも１つが選択されたことを検出する第１検出処理部の出力に基づいて、前記表示部に表示された操作子の表示を変化させる表示処理部と、前記選択された操作子のうちの少なくとも１つが操作されたことを検出する第２検出処理部の出力に基づいて、前記操作子に対応する処理を実行する操作実行部とを備えるので、機器の表示画面に表示されたボタンの表示状態を見ながら操作することができ、手元の操作部のボタンを見ずに操作できる。
【０００９】
また本発明の電子装置は、第１検出処理部の出力により表示部に表示された操作子の表示を変化させ、前記第２検出処理部の出力により操作子に対応する処理を実行するので、操作子の操作を第１の操作と、第２の操作に分けることができる。このように操作子による第２の操作前に第１の操作が機器の表示画面に表示されるので、手元の操作部の操作子を見ずに、電子機器の表示画面に表示された操作画像を見ることにより指の位置を認識することができ、その後第２の操作を行うことができる。また電子機器の表示画面に表示された操作画像を見ながら操作できるので、操作部のある周辺が暗い場合、例えば車内でも操作が可能である。これにより操作部に照明装置を備える必要がないか、照明装置を使用する必要が少なくなるので、電子装置のバッテリ消耗を少なくすることができる。
特に本発明は、第１検出処理手段が操作子の接触を検出する接触検出手段であり、第１段の押下げを検出する第１段検出手段または弱い圧力で押下げられたことを検出する弱圧力検出手段である。また第２検出手段が操作子の押し下げを検出する押下げ検出手段、第２段の押下げを検出する第２段検出手段または強い圧力で押下げられたことを検出する強圧力検出手段である。従って操作子としてはスイッチ、ボタン、レバー、タッチスイッチのように、各種操作子を使用することができる。特に本発明は操作子として、押しボタンを使用すると好適である。
【００１０】
また本発明の電子装置は、第１検出処理部が複数の操作子が選択されたことを検出した場合、表示処理部は選択された複数の操作子に対応する操作子の表示を変化させるので、同時操作された操作子を知ることができる。
また本発明の電子装置は、第１検出処理部が複数の操作子が選択されたことを検出し、第２検出処理部が前記選択された操作子のうちの少なくとも１つが操作されたことを検出した場合、前記操作実行部は前記選択された複数の操作子に対応する処理を実行するので、操作された操作子の数に応じて処理を変え、様々な表示または処理を行うことができる。
例えば、１つの操作子に接触し、１つの操作子を押下げられた場合は通常処理する。しかし第１検出処理手段が検出した操作子の数と、第２検出処理手段が検出した操作子の数が異なる場合は、前記通常処理とは異なる処理をすることができる。すなわち、複数の操作子に接触し、その内の１つの操作子が押下げられた場合は接触した複数の操作子のどちらを押下げたのか、確認画面を表示するような処理を行う。また「１」の操作子と「２」の操作子に接触し、２つの操作子が押下げ操作されたとき、または「１」または「２」のどちらかが操作されたときは、１チャンネルと２チャンネルの２画面を表示する。また「入力切換」の操作子と「２」の操作子に接触し、この２つの操作子が押下げ操作されたときは、ビデオ２入力に切換える。さらに操作された操作子の数が３つの場合は３画面にしたり、４つの場合は４画面にしたりしてもよい。
また複数の操作された操作子の内、接触面積の大きい操作子、サイズの大きい操作子、接触圧力の大きい操作子、または予め設定した重要度の高い操作子あるいは優先度の高い操作子を識別して処理してもよい。また複数の操作子の検出出力を利用することもできる。
【００１１】
また本発明の電子装置は、各操作子に対応する処理を切換える切換部を更に備え、前記表示処理部は、前記切換部の出力に基づいて、表示部に表示された操作子の表示を切換えるので、１つの操作子を複数の機能に切換えて使用でき、操作子の数を少なくすることができる。また表示画面を見て操作子の機能を知ることができ、手元の操作子を見ずに操作できる。
また本発明の電子装置は、前記操作子の表示位置または表示サイズを変更する表示変更部を更に備え、前記表示処理部は、前記表示変更部の出力に基づいて、表示部に表示された操作子の表示位置または表示サイズを変化させるので、電子機器の表示画面に重ならない位置または大きさに変えることができ、電子機器の表示を邪魔しない位置または大きさで操作子を表示することができる。
また本発明の電子装置は、所望の処理を実現するための操作子の操作手順を記憶する操作手順記憶部を更に備え、前記表示処理部は、前記操作手順記憶部に記憶された操作手順に従って順次、表示部に表示された操作子の表示を変化させ、操作子の操作を案内するので、手順の長いボタン操作や複雑なボタン操作もユーザを順次誘導することができる。
【００１２】
また本発明の電子装置は、操作部に備えた対象機器切換部の出力に応じて、前記操作子の使用可または不可を表示することができ、操作子の操作を容易にする。使用可の操作子のみ表示して、操作部の操作子の数を少なくすることができる。使用不可の操作子は小さく表示したり、薄く表示したり、表示しないようにしてもよい。
また本発明の電子装置は、機能表示文字の拡大表示手段または縮小表示手段を備えることができ、ユーザの見やすい大きさにすることができる。
また本発明の電子装置は、操作子の接触時間計測手段を更に備えてもよく、ユーザが操作子に接触している時間に応じて操作子の表示を変えたり、処理を変えたりすることができる。
【発明を実施するための最良の形態】
【００１３】
本発明の電子装置の操作装置は、操作部に、複数の操作子と、その各操作子に第１の操作を検出する第１検出部からの出力を処理する第1検出処理部と、第２の操作を検出する第２検出部に出力を処理する第2検出処理部を備える。電子機器には、前記複数の操作子を表示する表示部と、前記第１検出処理手段の出力より、前記表示された操作子の表示状態を変化させる表示処理部と、第２検出処理部の出力に基づいて、前記操作子に対応する処理を実行する操作実行部とを備を備える。
【００１４】
ここで、操作子は操作部に備えられ、ユーザが操作するボタンを指す。第１検出部は、操作子の接触検出部であり、タッチセンサのようにユーザがボタンに接触したことを検出する手段である。第２検出部は操作子を押し下げたことを検出する押下げ検出部であり、ユーザがボタン操作して押下げると接触する接点である。あるいは第１検出部はボタンの第１段の押下げを検出する第１段検出部であり、第２検出部はボタンの第２段の押下げを検出する第２段検出部でもよい。また第１検出部はボタンの１回目の押下げを検出する１回目検出部であり、第２検出部はボタンの２回目の押下げを検出する２回目検出部でもよい。また第１検出部はボタンの第１の所定時間の押下げを検出する第１時間検出部であり、第２検出部はボタンの第２の所定時間の押下げを検出する第２時間検出部でもよい。またボタンの押下げ圧力を検出し、弱い圧力で押下げられたときを第１検出とする弱圧力検出手段であり、強い圧力で押下げられたときを第２検出とする強圧力検出手段でもよい。第１検出部の出力は第１検出処理部が受け、複数の操作子から得られる出力を処理して、第1の操作がどの操作子であるか検出する。第２検出部の出力は第２検出処理部が受け、複数の操作子から得られる出力を処理して、第２の操作がどの操作子であるか検出する。
表示処理部は、操作部の表示画像を制御する手段であり、メモリと、ＯＳＤ(ｏｎ  Ｓｃｒｅｅｎ  Ｄｉｓｐｌａｙ)制御部と、加算器とからなり、電子機器の画像信号に、本発明の操作装置の操作画像を重ね合わせる部分である。
【００１５】
（実施形態１）
実施形態１は、テレビ付き携帯端末装置であり、図１にブロック図を示す。
本発明のテレビ付き携帯端末装置は、テレビ部分１００と操作部２００とからなる。テレビ部分１００はチューナ１を有し、チューナ１の出力は加算器２を通して表示部３で表示される。表示部３は液晶表示装置、プラズマ表示装置、有機ＥＬ表示装置、ＣＲＴ表示装置等である。テレビ部分１００はテレビ用メモリ４を有し、表示部３に表示するための操作部の画像データを記憶する。加算器２は、チューナ１の出力と、ＯＳＤ制御部５の出力とを合成し、表示部３で表示する。またはチューナ１の出力と、表示制御部６からの出力を合成して表示する。チューナ１の出力はテレビ映像信号である。ＯＳＤ制御部５の出力は操作部の画像信号である。
テレビ部分１００は更に表示制御部６を有し、操作部２００から操作信号を受ける。操作部２００からの操作信号は、表示制御部６によってＯＳＤ制御部５を制御して操作部の画像表示を変更したり、またテレビ用チューナ１を制御してチャンネルを切換えたり、入力信号を切換えたり、音声出力を消音したり、副音声に切換えたり、文字入力したり、テレビの制御をする。テレビ部分１００はその他の構成を備えてもよい。
【００１６】
操作部２００は、複数の操作子を備える。操作子の形態は種々あるが、ここでは押しボタン形式の操作子について説明する。操作部２００は複数のボタンを配列したボタン検知部１１と、ボタン解析部１２と、制御部１３を備える。
ボタン検知部１１の各ボタンには第１検出部１４と第２検出部１５を備える。第１検出部１４は、ボタン接触検知部であり、例えばユーザがボタン表面に接触したことを検出するものであり、例えばタッチセンサである。第２検出部１５は、例えばボタン押下げ検知部であり、ユーザによってボタンが押下げられたとき、ボタンと接触する接点またはボタンに備えた導電体によって短絡される接点である。第１検出部１４はタッチセンサ、第２検出部１５は押下げ検出部以外の手段であってもよいが、以下にはボタン接触検知部とボタン押下げ検知部であるとして説明する。
【００１７】
ボタン解析部１２は、ボタン検知部１１で選択されたボタンの位置を識別し、またボタン接触検知部とボタン押下げ検知部の出力を区別して、ボタン接触出力を出力する第１検出処理部１６を備える。またボタン検知部１１で操作されたボタンの位置を識別し、またボタン接触検知部とボタン押下げ検知部の出力を区別して、ボタン操作出力を出力する第２検出処理部１７を備える。ボタン解析部１２は、この他、接触時間計測部１８を内蔵し、ユーザのボタン接触時間を計測する。
制御部１３はボタン操作案内メモリ１９を備えユーザのボタン操作を誘導する信号を出力する。
実施形態１のテレビ付き携帯端末装置の構成は、以上の通りであるが、この構成は一例であり、テレビ用メモリ４と、ボタン操作案内メモリ１９が同じ記憶部に格納されていてもよく、また第１検出部１４と第２検出部１５がボタン検知部１１と一体的に構成されていてもよく、表示制御部６と制御部１３が同じであってもよい。また加算器２とＯＳＤ制御部５も他の装置に変えてもよい。
【００１８】
（実施形態２）
実施の形態２は、家庭等に設置されるテレビ３００と、ビデオデッキ４００と、これらを操作するリモコン５００とから構成され、ブロック図を図２に示す。テレビ３００は通常のテレビが本発明の対象であり、一般的な構成の概略を説明する。テレビ３００はチューナ２１と映像入力端子２２を有し、チューナ２１または映像入力端子２２の一方の映像入力信号がマルチプレクサ２３により選択的に切換えられ、表示部２４で表示される。表示部２４は液晶表示装置、プラズマ表示装置、有機ＥＬ表示装置、ＣＲＴ表示装置等である。表示部２４は表示画面にリモコンの操作部の画像を表示する。テレビ３００はテレビ用メモリ２５を有し、表示部２４に表示するための操作部の画像データを記憶する。加算器２７は、マルチプレクサ２３の出力と、ＯＳＤ制御部２６の出力とを合成し、表示部２４で表示する。チューナ２１の出力はテレビ映像信号である。ＯＳＤ制御部２６の出力は操作部の画像信号である。リモコン５００の出力はユーザのボタン操作信号であって、ユーザの第１の操作を検出して処理された第１検出処理信号と、第２の操作を検出して処理された第２検出処理信号である。
テレビ３００は更にリモコン受光部２８を有し、リモコン５００の発光部４４からの発光を受光し、電気信号に変換する。受光信号はテレビ用制御部２９に出力され、テレビ用制御部２９によってＯＳＤ制御部２６を制御して操作部の画像を変更したり、またテレビ用チューナ２１を制御してチャンネルを切換えたり、入力信号を切換えたり、音声出力を消音したり、副音声に切換えたり、文字入力したり、テレビの制御をする。テレビはその他の構成を備えてもよい。
【００１９】
ビデオデッキ４００も通常のビデオデッキが本発明の対象であり、一般的な構成の概略を説明する。ビデオデッキ４００はビデオ用チューナ３１を有し、映像出力部３２を介してテレビ３００の映像入力端子２２に出力される。録画・再生部３３はビデオテープ、ハードディスク、磁気ディスク、光ディスク、半導体メモリ等の記録媒体にチューナ３１から得た映像信号を記録し、または記録媒体から映像信号を再生する。ビデオデッキ４００はビデオ用メモリ３５を有し、ＯＳＤ制御部３６がリモコン５００からの指示に従ってビデオ用メモリ３５を読み出し、加算器３７により映像信号に重ね合わせ、映像出力部３２に出力される。
ビデオデッキは更にリモコン受光部３９を有し、リモコン５００の発光部４４からの発光を受光し、電気信号に変換する。リモコン受光部３９より出力された受光信号はビデオ用制御部３８に出力され、ビデオ用制御部３８によってＯＳＤ制御部３６を制御して操作部の画像を変更したり、またビデオ用チューナ３１および録画・再生部３３を制御してチャンネルを切換えたり、録画・再生・早送り・巻戻しに切換えたり、予約モードに変えたり、文字入力したり、ビデオデッキ４００を制御する。ビデオデッキ４００はその他の構成を備えてもよい。
【００２０】
リモコン５００は、複数のボタンを配列したボタン検知部４１と、ボタン解析部４２と、リモコン制御部４３と、発光部４４を備える。
ボタン検知部４１の各ボタンには第１検出部４５と第２検出部４６を備える。第１検出部４５は、ボタン接触検知部であり、例えばユーザがボタン表面に接触したことを検出するものであり、例えばタッチセンサである。第２検出部４６はボタン押下げ検知部であり、ユーザによってボタンが押下げられたとき、ボタンと接触する接点またはボタンに備えた導電体によって短絡される接点である。第１検出部はタッチセンサ、第２検出部は押下げ検出部以外の手段であってもよいが、以下にはボタン接触検知部とボタン押下げ検知部について説明する。
ボタン解析部４２はボタン操作部４１で操作されたボタンの位置を識別し、またボタン接触検知部とボタン押下げ検知部の出力を区別して、ボタン接触出力を出力する第１検出処理部４７を備える。またボタン検知部４１で操作されたボタンの位置を識別し、またボタン接触検知部とボタン押下げ検知部の出力を区別して、ボタン操作出力を出力する第２検出処理部４８を備える。また接触時間計測部４９を内蔵し、ユーザのボタン接触時間を計測する。
リモコン制御部４３はテレビ用メモリ５０と、ビデオデッキ用メモリ５１と、ボタン操作案内メモリ５２を備える。ボタン制御部５３はボタン解析部４２の出力によりテレビ用メモリ５０、ビデオデッキ用メモリ５１、ボタン操作案内メモリ５２の読み出し動作を制御し、ユーザのリモコンボタン操作に対応したリモコン制御信号を出力するように制御する。
発光部４４はボタン制御部５３の出力を受けて、ＬＥＤまたはレーザのような発光素子を発光させる。
なお、光による無線制御に限らず、ＲＦ信号による無線制御や電気信号による有線制御を行うようにしてもよい。
【００２１】
（操作部のボタン配列）
実施形態１の操作部２００または実施形態２のリモコン５００のボタンは、例えば図３に示すように配列される。リモコンは数字「１」〜「１２」と、文字「あ」〜「わ」「゛゜」「記号」を併記して横４列、縦３段に配置したボタンＢ１〜Ｂ１２と、「ＴＶ電源」ボタンＢ１３と、「ＶＴＲ電源」ボタンＢ１４と、「ＴＶ／ＶＴＲ切替」ボタンＢ１５と、「選局＋または早送り」ボタンＢ１６と、「選局−または巻戻し」ボタンＢ１７と、「決定」ボタンＢ１８と、「録画」ボタンＢ１９と、「再生」ボタンＢ２０と、「停止」ボタンＢ２１と、「メニュー」ボタンＢ２２と、「音量小」ボタンＢ２３と、「音量大」ボタンＢ２４と、「ＣＡＴＶ」ボタンＢ２５と、「音声切替」ボタンＢ２６と、「消音」ボタンＢ２７と、「画面切替」ボタンＢ２８と、「画面サイズ」ボタンＢ２９を有する。実施形態１または実施形態２では以上のようなボタン配列を有するが、これらボタンは全部備える必要はなく、またこれ以上のボタンを有していてもよい。更に配列も任意である。
【００２２】
実施形態１のテレビ用メモリ４、実施形態２のテレビ３００のテレビ用メモリ２５およびリモコン５００のテレビ用メモリ５０は、図４に示すように、各ボタン配列（ボタンＩＤ）と、通常時、テレビまたはビデオデッキの操作時、文字入力モード時の関係をテーブルとして記憶している。
またビデオデッキ４００のビデオ用メモリ３５およびリモコン５００のビデオ用メモリ５１は、図５に示すように、各ボタン配列（ボタンＩＤ）と、通常時、テレビまたはビデオデッキの操作時、文字入力モード時の関係をテーブルとして記憶している。
更にリモコン５００のボタン操作案内メモリ５２は、図６に示すように、操作案内大タイトル、操作案内中タイトル、操作案内選択項目、管理コードをテーブルとして記憶している。図６はビデオデッキ用操作案内メモリの例を示し、図示しないが、テレビ用操作案内メモリも備える。
【００２３】
（フローチャート）
次に本発明の操作装置のフローチャートを図７に従って説明する。実施形態１はテレビつき携帯端末において、操作部と表示部が１つの筐体内にあるのに対して、実施形態２はテレビ３００またはビデオデッキ４００とリモコン５００の間を光により通信する点で相違するが、その他の動作部分は同じであるので、フローチャートを共通に説明する。以下ではテレビ付き携帯端末装置およびテレビ３００を電子機器または機器と称する。
最初にステップＳ１で初めて電子機器の電源をオンにする。初めてとは、電子機器の主電源スイッチをオンにしてから、電子機器の表示画面に操作部の画像が表示されるまでを指し、電子機器は電源オンにされると操作部の画像を表示するように設定されているとする。操作部の画像は、図３に示したような実際の操作部２００またはリモコン５００のボタン配列と同じ配列で表示される。電子機器の表示画面に操作部の画像を表示する場合、操作部の画像が電子機器の表示画像（テレビ映像等）に重なるように表示してもよいし、電子機器の表示画像と操作部の画像の両方の画像が見えるように、操作画像を半透明(アルファブレンディング機能)で表示してもよいし、画面を分割して表示してもよいし、操作が終わるまでは操作部を表示し、操作が終了したとき、電子機器の表示画像に変わるようにしてもよい。
次にステップＳ２で機器の表示画面に表示された操作画像を見ながら、操作部の機器選択ボタン、即ちＴＶ／ＶＴＲ切替ボタンＢ１５を操作して、テレビまたはビデオを選択する。テレビとビデオの選択はＴＶ／ＶＴＲ切替ボタンＢ１５を押し下げるごとに、テレビまたはビデオに切換えることができる。
【００２４】
ＴＶ／ＶＴＲ切替ボタンＢ１５のＴＶを押し下げた場合、テレビ用制御部６または２９はテレビに切換えられたことを認識し、テレビ用メモリ４または２５を読み出して、表示画面にテレビ用操作画像を表示する。図８（ａ）はテレビ用操作画像を示し、図８（ｂ）は操作部を示す。テレビ用操作画像はテレビの操作に必要なボタンを明るく表示し、または目立つ色で表示し、その他のボタンは薄暗く表示し、または目立たない色で表示する。あるいはその他のボタンは表示を消してもよい。テレビの操作に必要なボタンとは数字１〜１２、ＴＶ電源、ＣＡＴＶ、ＴＶ／ＶＴＲ切替、選局＋、選局―、音量大、音量小、決定、音声切替、消音、画面切替、画面サイズ、メニューである。これらボタンは全部表示する必要はなく、更に表示を少なくしてもよい。またこれらボタン以外のテレビ操作に必要なボタンを表示してもよい。
【００２５】
またビデオデッキを選択した場合、ビデオ用制御部３８はビデオに切換えられたことを認識し、ビデオ用メモリ３５を読み出して映像出力部３２を介して、テレビの表示画面にビデオ用操作画像を表示する。図９（ａ）はビデオ用操作画像を示し、図９（ｂ）は操作部を示す。ビデオ用操作画像はビデオの操作に必要なボタンを明るく表示し、その他のボタンは薄暗く表示している。あるいはその他のボタンは表示を消してもよい。ビデオの操作に必要なボタンとは数字１〜１２、ＶＴＲ電源、ＴＶ／ＶＴＲ切替、早送り、巻戻し、音量大、音量小、決定、音声切替、消音、画面切替、画面サイズ、メニュー、録画、再生、停止である。これらボタンは全部表示する必要はなく、更に表示を少なくしてもよい。またこれらボタン以外にビデオに必要なボタンを表示してもよい。
なお、ビデオに切り換えられたときはテレビ用操作画像を消去してビデオ用操作画像を表示し、テレビに切り換えられた時はビデオ用操作画像を消去してテレビ用操作画像を表示する。
【００２６】
次にユーザはステップＳ３で操作モードを選択する。操作モードの選択は、操作部のメニューボタンＢ２２を押し下げるごとに、通常状態の「表示あり」と、「操作案内」と、「表示なし」の３つが切替わり、これらからいずれかを選択する。
「表示なし」モードを選択したときは、操作画像の表示が不要であることを意味しているので、操作画像が表示されている場合はそれを消去して終了する。操作案内モードを選択したときは、ステップＳ６に進み操作案内モードが開始される。操作案内モードは後述する。
「表示あり」を選択した場合は、ステップＳ４に進む。ステップＳ４では、ボタン接触検出部の出力をボタン解析部１２または４２の接触時間計測部１８または４９が時間計測し、ユーザが操作部のボタンに一定時間以上接触したか否か判断する。一定時間はユーザがボタン操作を迷っていると想定される時間である。例えば０〜５秒間を予め設定しておく。好ましくは３秒以上である。一定時間以上接触していない場合はそのまま終了する。
一定時間以上接触していた場合はステップＳ５に進む。ステップＳ５では操作部のボタンのどれに接触しているかボタン解析部１２または４２によって判定される。そして機器の表示画面にユーザが接触しているボタンを識別可能なように表示する。例えば接触しているボタンだけ表示を点滅させる、表示を明るくする、色を変えることにより、明示する。このときユーザが接触しているボタンが機器の操作に使用可能のボタンである場合と使用不可のボタンである場合とで識別表示方法を異ならせてもよい。また使用不可のボタンである場合は識別表示を行わないようにしてもよい。
【００２７】
上記ステップＳ３〜Ｓ５の詳細を図１０のフローチャートで説明する。
上記ステップＳ３で表示あり（通常）が選択されると、ステップＳ４に進み、ステップＳ４ではボタン検知部１１または４１がボタンの接触位置を検出するとともに、接触時間計測部１８または４９が５秒以上接触しているか否か判定される。５秒以下の場合はステップＳ４に戻る。５秒以上接触していると判断した場合は、ステップＳ４ａでボタン解析部１２または４２が接触しているボタンの位置を識別し、機器の表示画面に接触しているボタンを識別表示する。次にステップＳ５では、操作部のボタンが押下げられたか否か判定する。ボタンが押下げられなければ、ステップＳ４に戻る。ボタンが押下げられたら、ステップＳ５ａで押下げられたボタンが画面切替ボタンか否か判断される。押下げられたボタンが画面切替ボタンでない場合は、ステップＳ５ｂに進む。
【００２８】
ステップＳ５ｂではその押下げられたボタンが機器の操作に有効なボタンか否か判断される。機器の操作に有効なボタンが押下げられた場合は、ステップＳ５ｃで機器の制御部６または２９がそのボタンの処理を行い、またＯＳＤ制御部５または２６を作動させて、操作ボタンを識別表示する。そしてステップＳ４に戻る。なおステップＳ４に戻らずに、ステップＳ５ｅに進むようにしてもよい。ステップＳ５ｂで、機器の操作に有効でないボタンが操作された場合は、ステップＳ５ｄに進み、そのボタンは使用不可のメッセージを表示して、ステップＳ４に戻る。使用不可のメッセージは例えば、「そのボタンは有効でありません」を表示する。メッセージの表示に代えて、あるいはメッセージの表示とともに、そのボタンの通常処理とは異なる処理を行ってもよい。例えばテレビ用に切換えられている場合に、再生ボタン、録画ボタンまたは停止ボタンが操作されると、音声が副音声に変わるようなボタン本来の処理とは異なる処理を行わせ、ユーザに操作すべきボタンでないことを分かるようにする。または警告音を発する。
ステップＳ５ａで、画面切替ボタンが押下げられた場合は、ステップＳ５ｅで機器の表示画面から操作画像の表示を消去し、操作画像の表示を終了する。
【００２９】
（操作案内）
次に上記ステップＳ３で操作案内モードが選択され、操作案内モードのステップＳ６に進んだ場合を図１１のフローチャートで説明する。
最初に図７のステップＳ６で操作案内モードに進むと、実施形態１では操作案内メモリ１９、実施形態２ではリモコン５００の操作案内メモリ５２が読み出され、図１１のステップＳ１１で操作案内が開始される。次のステップＳ１２では操作案内大タイトルが機器の表示画面に表示される。操作案内大タイトルとはビデオデッキの場合を図６に示すようには、「テレビを録画する」「録画した番組を見る」「録画を予約する」等である。実施形態１のテレビの場合、実施形態２のテレビの場合、カーナビゲーションの場合の操作案内大タイトルはここでは図示しないが、それぞれ機器の操作の順序に合わせた案内項目が考えられる。
ステップＳ１２で操作案内大タイトルの１つが選択されると、次にステップＳ１３に進み前記選択された操作案内大タイトルに対応する操作案内中タイトルが機器の表示画面に表示される。操作案内中タイトルは図６に示す通り、９つある。ユーザが表示された操作案内中タイトルから所望のタイトルを１つ選択すると、次のステップＳ１４では操作案内小タイトルが機器の表示画面に表示される。
ここでは操作案内大タイトルで、「テレビを録画する」が選択され、操作案内中タイトルで「テレビを録画する」が選択され、操作案内小タイトルで「テレビを録画する」が選択された場合を更に説明する。ステップＳ１４で「テレビを録画する」が選択された場合、図６の右端欄に示す管理コードは１−１であるので、管理コードが１−１以下の選択項目が読み出される。管理コードが１−１の選択項目は、図１２に示すように「テレビを録画する」実行時のメモリ内容である。
【００３０】
次にステップＳ１５では、変数ｎの値を１にする。変数ｎは図１２に示す、管理コードを指定するためのポインタである。図１２に示すメモリ内容が決定ボタン操作毎に１つ繰り上げられ、メモリ内容が順次表示される。図１２では管理コード１−１−１の最後の桁が変数ｎに対応し、順次繰り上げられることを示す。
ステップＳ１６では、図１２に示す操作案内メモリから読み出されたメモリ内容が表示画面に表示される。表示画面は、今操作する対象のボタンを例えば、赤色にて表示し、その次の手順に移行するためのボタン、または操作案内を終了させるためのボタンを青色で表示し、この場面では操作対象でないボタンは薄いグレーで表示する。このようにして、色によって操作すべきボタンを表す。なお赤色、青色、グレーは一例であって、任意の色でよい。またボタンの大きさや形状などで識別表示するようにしてもよい。次にユーザがボタンに触れると、ステップＳ１７でその接触しているボタン位置がボタン解析部１２または４２によって検出される。
【００３１】
ステップＳ１８で、ユーザが今操作すべきボタンに接触している場合は、そのボタンが識別され、表示画面に赤色の点滅により表示される。ユーザが次の手順に移行するためのボタンまたは操作案内を終了させるためのボタンに接触している場合は、そのボタンが青色の点滅により表示される。そしてステップＳ１９ではそのボタンが押下げられたか否か判断され、ボタンが押されなかったら、ステップＳ１７に戻る。ボタンが押されたら、次にステップＳ２０で、押されたボタンが決定ボタンであるか否か判断される。決定ボタンが押されなかった場合、ステップＳ２１に進み、押されたボタンが画面切替ボタンか否か判断される。画面切替ボタンでない場合、ステップＳ２２でそのボタンは操作可能なボタンか否か判断され、操作可能なボタンである場合は、ステップＳ２３で機器の制御部、メモリ、ＯＳＤ制御部によりそのボタンの通常の処理が行われ、またそのボタンが表示されて、ステップＳ１７に戻る。このとき「ピンポーン」のような音を鳴らしてもよい。使用不可のボタンである場合は、ステップＳ２４で使用不可のメッセージを表示して、ステップＳ１７に戻る。メッセージは例えば、「そのボタンは有効でありません」である。同時に使用不可を表すように「ブー」の音を鳴らしてもよい。
【００３２】
ステップＳ２０で決定ボタンが押された場合は、次のステップＳ２５で変数ｎの値に１が加えられ、図１２の次の管理コードのメモリ内容が読み出される。その読み出された内容が全操作手順の終了か否か判断される（ステップＳ２６）。終了の場合はここで終了し、終了でない場合はステップＳ１６に戻る。
ステップＳ２１において、画面切替ボタンが押された場合は、ステップＳ２７で操作画像の表示を消去して、操作案内を終了する。
以上のようにして、操作部のボタンが押下げられ、そのボタンの処理が行われるステップＳ５または操作案内モードであるステップＳ６の終了後、再度電源をオンにすると(ステップＳ７)、図７に示すようにステップＳ８では『ＸＸＸモードが選択されています。変更しますか？』が問合せられ、前記ステップＳ３の操作モードの選択を行う。操作モードを選択すると、ステップＳ４またはステップＳ６に進み、以降同じである。
【００３３】
図１３は前記ステップＳ１６からＳ２０の操作案内ステップを説明するために、表示画面に表示される操作画像を説明する図である。図１３はテレビ番組を録画する場合の手順を説明する図である。図１１のステップＳ１６では図１２の管理コード１−１−１が読み出され、ボタンＩＤ１５のＴＶ／ＶＴＲ切替ボタンが赤色、ボタンＩＤ１８の決定ボタンおよびボタンＩＤ２８の画面切替ボタンが青色に表示されるよう制御される。図１２ではボタン名の後に色(赤色、青色)を記載した。したがって図１３（ａ）に示すように、ＴＶ／ＶＴＲ切替ボタンが赤色で表示され、今操作すべきボタンであることを表示している。図面では斜めのハッチングで示している。そして決定ボタンは青色で表示し、次の手順に移行するボタンであることを表示している。図面では縦横のハッチングで示している。その他のボタンは薄く表示している。
【００３４】
ステップＳ１７で決定ボタンにユーザが接触すると、そのボタン位置がボタン解析部１２または４２により検出され、ステップＳ１８でそのボタンが青色の点滅により表示される。そしてステップＳ１９でボタンが押されたか否か判断され、ボタンが押されたらステップＳ２０に進み、その押されたボタンが決定ボタンであるか否かが判断され、決定ボタンの場合は、ステップＳ２５で管理コードが１つ繰り上げられて、図１２の管理コード１−１−２が読み出される。次のステップＳ２６では読み出された管理コード１−１−２の内容が全操作手順の終了でなく、「チャンネルを選びます」であるので、ステップＳ１６に戻る。ステップＳ１６では選局＋ボタンと選局−ボタンを赤色、決定ボタンと画面切替ボタンを青色に表示するように制御する。したがって図１３（ｂ）に示すように、選局＋ボタンと選局−ボタンが赤色で表示され、決定ボタンと画面切替ボタンが青色で表示される。
【００３５】
次にステップＳ１７で決定ボタンに接触すると、その位置が検出され、ステップＳ１８で決定ボタンの青色を点滅させて表示する。次にステップＳ１９でボタンが押されたか否か判断され、ボタンが押されたらステップＳ２０に進み、決定ボタンが押された場合は、ステップＳ２５に進む。ステップＳ２５では管理コードが１つ繰り上げられ、図１２の管理コード１−１−３が読み出される。
この読み出した内容は全操作手順の終了でなく、「録画ボタンを押します」であるので、ステップＳ１６に戻り、録画ボタンを赤色、決定ボタンと画面切替ボタンを青色に表示するように制御する。したがって図１３（ｃ）に示すように、録画ボタンが赤色で表示され、決定ボタンと画面切替ボタンが青色で表示される。
更にステップＳ１６からステップＳ２０とステップＳ２５とステップＳ２６が繰り返される。今回ステップＳ２５で管理コードが１つ繰り上げられ、図１２の管理コード１−１−４が読み出されると、その内容は「終了」であるので、このフローは終了する。
【００３６】
以上のようにして、操作画像に次に操作すべき対象ボタンの色を変更して表示し、ユーザのボタン操作を誘導することができる。したがって、ユーザは操作画像を見て、次に操作すべきボタンを押すことができ、手元のボタンを見ずに指をどの方向にどれだけ動かせばよいのかが分かる。また前に操作したボタンと次に操作するボタンが離れた位置にある場合も、次に操作するボタンの方向に指を移動させ、前に操作したボタンと次に操作するボタンの間にあるボタンに接触すると、そのボタンが識別表示されるので、指を移動させる方向および距離を間違えることがない。また次に操作するボタンに接触したとき、そのボタンが識別表示されるので、表示を確認してからボタンを押すので、操作を間違えることがない。
【００３７】
（操作画像１）
図１４はボタンを押下げるときに、機器の表示画面に表示される操作画像の表示を説明する図である。操作部のボタン配列および機器の操作画像は図８に示したものと同じであるが、この図１４では、更にユーザがどのボタンに手を置いているかを表示する。すなわち図１４では操作部がテレビに切換えられ、機器の表示画面はテレビ用操作画像を表示している。ユーザが今、操作部のＴＶ電源ボタンに触れている場合、操作画像のＴＶ電源ボタンおよびボタンの機能を示す文字画像が点滅表示される。このように表示画面はテレビ用操作画像を表示する一方、ビデオデッキの操作に関連するＶＴＲ電源ボタン、録画ボタン、再生ボタン、停止ボタンは薄く表示し、また早送り、巻戻しの文字も薄く表示する。これらボタンおよび文字を薄く表示しておき、もしユーザの指先がこれらのボタンに接触したときは、ボタンまたは文字を点滅することによって、指先の位置を表示することができる。また警告音を発してもよい。
このように、ユーザが操作部のボタンに接触すると、操作画像のその接触したボタンが点滅表示されるので、ユーザは手元の操作部のボタン位置を機器の操作画像によって知ることができ、したがって操作部のボタンを見ずに、機器の操作画像を見ながら操作部を操作することができる。
【００３８】
（操作画像２）
図１５は操作画像を拡大または縮小する場合、また移動させる場合を説明する図である。
「画面切替」ボタンを押して、次に音量大または音量小を示す三角印のボタンを押すと、ＯＳＤ制御部が操作画像を拡大または縮小する。これにより操作画像をユーザが見やすいように大きく、または機器の表示を隠さないように小さくすることができる。拡大または縮小は、音量大または音量小を示す三角印のボタンを押し続けると、連続的に拡大または縮小する。
機器の操作画像の表示位置を移動させる場合は、「画面切替」ボタンと、「△」「▽」「？」「？」を同時に押すことにより、上下左右に移動させることができる。これにより、操作画像を機器の表示に邪魔にならない位置に移動させて、操作画像を操作することができる。
このように操作画像の大きさと表示位置を任意に変えることができるので、機器の表示画面の表示を見る際に操作画像が邪魔にならないようにすることができる。
【００３９】
（操作画像３）
図１６はボタンに接触したとき、操作画像のボタンを拡大して表示し、見やすくするとともに、接触したボタン機能を表示するものである。図１６は、操作部のＴＶ電源ボタンに接触したので、操作画像のＴＶ電源ボタンが拡大表示されている様子を示す。このようにボタンを押し下げる前に接触しているボタンが拡大表示されるので、指が操作部のどの位置にあるか容易に確認でき、手元の操作部を見ずに操作することができる。またボタンに接触したとき、ボタン画像に表示されるので、ボタンを押し下げる前に指の位置を確認することができる。
【００４０】
（操作画像４）
図１７はボタンを複数接触した場合を説明する図である。ユーザの指が操作部の複数のボタンに接触した場合、操作部のボタン解析部１２または４２は接触面積の大きさ、接触圧力の高さ、ボタンのサイズ、または予め設定した各ボタンの重要度あるいは優先順位を判定して、接触面積の大きい方、接触圧力の高い方、サイズの大きい方、重要なボタンまたは優先順位の高い方のボタンを高速で点滅表示し、ボタンの処理が行われることを表示する。接触面積の小さい方、接触圧力の低い方、サイズの小さい方、重要でない方、優先順位の低い方のボタンは、低速で点滅表示し、ボタン処理が行われないようにするとよい。
また押下げ検出部が複数のボタン検出を出力した場合、前記ＯＳＤ制御部は前記検出された複数のボタンの表示状態を変化させて、同時操作されたボタンを知らせることができる。
【００４１】
また本発明の電子装置は、接触検出部または押下げ検出部が複数のボタンを検出した場合、複数のボタンに対応した処理を行わせるので、操作されたボタン数に応じて処理を変え、様々な表示または処理を行うことができる。例えば、１つのボタンに接触し、１つのボタンを押下げられた場合は通常処理し、接触検出部と押下げ検出部が異なるボタン数を検出した場合は、前記通常処理とは異なる処理をすることができる。すなわち、複数のボタンに接触し、１つのボタンが押下げられた場合は接触した複数のボタンのどちらを押下げたのか確認画面を表示し、「１」のボタンと「２」のボタンに接触し、２つのボタンが押下げ操作されたときは、１チャンネルと２チャンネルの２画面分割表示をしたり、「入力切換」のボタンと「２」のボタンに接触し、この２つのボタンが押下げ操作されたときは、ビデオ２入力（非図示の第２の映像入力部からの映像表示）に切換えたりすることができる。さらに操作されたボタン数が３つの場合は３画面分割表示にしたり、４つの場合は４画面分割表示にしたりしてもよい。
なお接触検出部が複数のボタンの接触を検出した後、押下げ検出部がその複数のボタンの内の何れかのボタンの押し下げを検出した場合、その複数のボタンのすべてが押し下げられたと見なすようにしてもよい。
【図面の簡単な説明】
【００４２】
【図１】テレビ付き携帯端末装置のブロック図である。
【図２】テレビ、ビデオ、およびリモコンのブロック図である。
【図３】リモコンのボタンを説明する図である。
【図４】テレビ用メモリのテーブルを説明する図である。
【図５】ビデオ用メモリのテーブルを説明する図である。
【図６】操作案内メモリのテーブルを説明する図である。
【図７】電子装置のフローチャート図である。
【図８】リモコンとテレビ用リモコン画像を説明する図である。
【図９】リモコンとビデオ用リモコン画像を説明する図である。
【図１０】図６のステップＳ３〜Ｓ５の詳細なフローチャート図である。
【図１１】操作案内モードのフローチャート図である。
【図１２】操作案内選択項目メモリのテーブルを説明する図である。
【図１３】操作案内モード時のリモコン画像を説明する図である。
【図１４】リモコンの操作とリモコン画像の関係を説明する図である。
【図１５】リモコンとリモコン画像を拡大または縮小、移動させる場合を説明する図である。
【図１６】リモコンの操作とリモコン画像の関係を説明する図である。
【図１７】リモコンのボタンを複数接触した場合と、リモコン画像を説明する図である。
【符号の説明】
【００４３】
１００    テレビ部分
２００    操作部
３００    テレビ
４００    ビデオ
５００    リモコン
３        テレビ部分の表示部
４        テレビ用メモリ
１１      ボタン検知部
１２      ボタン解析部
１６      第１検出処理部
１７      第２検出処理部
２４      テレビの表示部
２５      テレビ用メモリ
４１      ボタン検知部
４２      ボタン解析部
４３      リモコン制御部
４５      ボタン接触検知部
４６      ボタン押下げ検知部
４７      リモコンの第１検出処理部
４８      リモコンの第２検出処理部
５０      リモコンのテレビ用メモリ
５１      リモコンのビデオ用メモリ
５２      操作案内メモリ
【図１】
2007058569.tif 000003
【図２】
2007058569.tif 000004
【図３】
2007058569.tif 000005
【図４】
2007058569.tif 000006
【図５】
2007058569.tif 000007
【図６】
2007058569.tif 000008
【図７】
2007058569.tif 000009
【図８】
2007058569.tif 000010
【図９】
2007058569.tif 000011
【図１０】
2007058569.tif 000012
【図１１】
2007058569.tif 000013
【図１２】
2007058569.tif 000014
【図１３】
2007058569.tif 000015
【図１４】
2007058569.tif 000016
【図１５】
2007058569.tif 000017
【図１６】
2007058569.tif 000018
【図１７】
2007058569.tif 000019